(57)【要約】【課題】尿等の拡散性に優れ、横漏れしにくい吸収性物品を提供する。【解決手段】液透過性のトップシート２と液不透過性のバックシート３とこれらの間に設けられた吸収性積層体４とを有する吸収性物品１であって、吸収性積層体４は、前後方向ｙと幅方向ｘとを有し、トップシート２側から上側吸収層５と下側吸収層７とを有し、上側吸収層５は前後方向ｙに延びる上側開口６を有し、下側吸収層７は、上側開口６と重なって、前後方向ｙに延びる下側開口８を有し、下側開口８は、上側開口６の前側端より前方に延び、上側開口６の前側端より前方の部分が上側吸収層５に覆われるとともに、上側開口６の後側端より後方に延び、上側開口６の後側端より後方の部分が上側吸収層５に覆われている。【選択図】図５
2018143836.tif 000002
【特許請求の範囲】
【請求項１】
液透過性のトップシートと液不透過性のバックシートとこれらの間に設けられた吸収性積層体とを有する吸収性物品であって、
前記吸収性積層体は、前後方向と幅方向とを有し、トップシート側から上側吸収層と下側吸収層とを有し、
前記上側吸収層は、前記前後方向に延びる上側開口を有し、
前記下側吸収層は、前記上側開口と重なって、前記前後方向に延びる下側開口を有し、
前記下側開口は、前記上側開口の前側端より前方に延び、前記上側開口の前側端より前方の部分が前記上側吸収層に覆われるとともに、前記上側開口の後側端より後方に延び、前記上側開口の後側端より後方の部分が前記上側吸収層に覆われていることを特徴とする吸収性物品。
【請求項２】
前記上側開口と前記下側開口の形状はそれぞれ、前後方向に長い、角の丸い長方形である請求項１に記載の吸収性物品。
【請求項３】
前記上側開口と前記下側開口が重なる部分の前記前後方向の長さは、前記吸収性積層体の前記前後方向の長さの２０％以上である請求項１または２に記載の吸収性物品。
【請求項４】
前記下側開口は、前記上側開口の前側端よりも前方に１０ｍｍ以上延在し、前記上側開口の後側端よりも後方に１０ｍｍ以上延在している請求項１〜３のいずれか一項に記載の吸収性物品。
【請求項５】
前記上側吸収層と前記下側吸収層はそれぞれ、親水性繊維と吸水性樹脂を含有する成形体から構成され、
前記上側吸収層の前記成形体が前記下側吸収層の前記成形体と直接接触している請求項１〜４のいずれか一項に記載の吸収性物品。
【請求項６】
前記上側吸収層と前記下側吸収層はそれぞれ、親水性繊維と吸水性樹脂を含有する成形体から構成され、
前記上側吸収層の前記成形体は、前記下側吸収層の前記成形体よりも吸水性樹脂含有率が高い請求項１〜５のいずれか一項に記載の吸収性物品。
【請求項７】
前記上側吸収層は、前記下側吸収層よりも、前記前後方向および前記幅方向に長く形成されている請求項１〜６のいずれか一項に記載の吸収性物品。
【請求項８】
前記バックシートは、前記吸収性積層体と異なる色を有する請求項１〜７のいずれか一項に記載の吸収性物品。
【発明の詳細な説明】
【技術分野】
【０００１】
本発明は、尿パッド（失禁パッドを含む）、使い捨ておむつ、生理用ナプキン等の吸収性物品に関するものである。
【背景技術】
【０００２】
従来、吸収性物品において尿等の拡散性を高めるために、吸収性コアに開口が形成された吸収性物品が知られている。例えば特許文献１には、トップシートとバックシートとこれらの間に設けられた吸収性積層体を有し、吸収性積層体が吸収性コアとして上側吸収層と下側吸収層を有し、上側吸収層に前後方向（吸収性物品を着用した際の着用者の前後方向に相当）に延びる開口が形成された吸収性物品が開示されている。
【先行技術文献】
【特許文献】
【０００３】
【特許文献１】特開２００７−２０２５７５号公報
【発明の概要】
【発明が解決しようとする課題】
【０００４】
特許文献１に開示される吸収性物品は、上側吸収層に形成された開口で尿等の前後方向への拡散性が高められ、この開口で拡散した尿等が上側吸収層や下側吸収層で吸収される。しかし、着用者から尿等が一度に大量に排泄された場合、例えば開口の前側端や後側端に一度に大量の尿等が移行すると、開口から尿等が溢れて横漏れするおそれがある。
【０００５】
本発明は前記事情に鑑みてなされたものであり、その目的は、尿等の拡散性に優れ、横漏れしにくい吸収性物品を提供することにある。
【課題を解決するための手段】
【０００６】
前記課題を解決することができた本発明の吸収性物品とは、液透過性のトップシートと液不透過性のバックシートとこれらの間に設けられた吸収性積層体とを有する吸収性物品であって；吸収性積層体は、前後方向と幅方向とを有し、トップシート側から上側吸収層と下側吸収層とを有し；上側吸収層は、前後方向に延びる上側開口を有し；下側吸収層は、上側開口と重なって、前後方向に延びる下側開口を有し；下側開口は、上側開口の前側端より前方、および／または、上側開口の後側端より後方に延びているところに特徴を有する。
【０００７】
本発明の吸収性物品は、上側吸収層に形成された上側開口と下側吸収層に形成された下側開口が重なって設けられているため、上側開口と下側開口が重なる部分で尿等の前後方向への拡散性が高められる。そして、上側開口と下側開口が重なる部分で前後方向に拡散した尿等は、下側開口が上側開口の前側端より前方および／または後側端より後方に延びることにより形成されたポケットに収容され、ポケットに収容された尿等は上側吸収層と下側吸収層とによって吸収される。その結果、着用者から排泄された尿等は、上側開口と下側開口が重なる部分で溢れることなく吸収性積層体で速やかに吸収されやすくなって、尿等の横漏れが起こりにくくなる。また、本発明の吸収性物品では、上側開口と下側開口が重なる部分で吸収性積層体を幅方向に折り曲げて、着用者の股間で窪みを形成しやすくなるため、着用者からの排泄物を好適に受けやすくなる。この点からも、本発明の吸収性物品は横漏れが起こりにくい。
【０００８】
下側開口は、上側開口と重なる部分で、上側開口より幅狭に形成されていることが好ま
しい。このように上側開口と下側開口が形成されていれば、着用者から排泄された尿等を、上側開口と下側開口が重なる部分で好適に受けやすくなるとともに、当該部分で受けた尿等が下側吸収層に速やかに吸収されて尿等が溢れにくくなる。また、上側開口が下側開口より幅広に形成されることにより、吸収性積層体を着用者の股間で窪みを形成するように幅方向に折り曲げやすくなる。
【０００９】
上側開口と下側開口が重なる部分の前記前後方向の長さは、吸収性積層体の前記前後方向の長さの１５％以上５０％以下であることが好ましい。上側開口と下側開口が重なる部分がこのような長さで形成されていれば、吸収性積層体での尿等の拡散性が高められ、吸収性積層体によって尿等が効率的に吸収されるようになる。また、吸収性積層体の吸収性能（吸収容量や吸収速度）が十分に確保されやすくなる。
【００１０】
下側開口は、上側開口の前側端よりも前方に１０ｍｍ以上延在し、上側開口の後側端よりも後方に１０ｍｍ以上延在していることが好ましい。このように下側開口が形成されていれば、上側開口と下側開口が重なる部分の前記前後方向の長さが十分に確保され、吸収性積層体での尿等の拡散性が高められる。また、下側開口が上側開口の前側端より前方および後側端より後方に延びることにより形成されたポケットに尿等が好適に収容されやすくなって、ポケットに収容された尿等が上側吸収層と下側吸収層とによって速やかに吸収されやすくなる。
【００１１】
上側吸収層と下側吸収層はそれぞれ、親水性繊維と吸水性樹脂を含有する成形体から構成され、上側吸収層の成形体が下側吸収層の成形体と直接接触していることが好ましい。このように上側吸収層と下側吸収層が構成されていれば、上側開口と下側開口とが貫通して形成され、上側開口と下側開口が重なる部分で尿等が溢れることなく好適に拡散しやすくなる。
【００１２】
上側吸収層と下側吸収層はそれぞれ、親水性繊維と吸水性樹脂を含有する成形体から構成され、上側吸収層の成形体が下側吸収層の成形体よりも吸水性樹脂含有率が高いことが好ましい。このように上側吸収層と下側吸収層が構成されていれば、吸収性積層体によって吸収された尿等が着用者の肌に逆戻りしにくくなり、吸収性物品の着用感が向上する。
【００１３】
上側吸収層は、下側吸収層よりも前記前後方向および前記幅方向に長く形成されていることが好ましい。このように上側吸収層と下側吸収層が構成されていれば、下側吸収層が尿等の吸収に効率的に寄与し、また、着用者が上側吸収層と下側吸収層との段差ができることによる違和感を覚えにくくなり、着用感が向上する。
【００１４】
上側開口は、前記前後方向に、前側部、後側部、およびこれらの間の中間部を有し、前側部および後側部が中間部より幅広に形成されていてもよい。このように上側開口が形成されていれば、吸収性物品を着用している際に吸収性積層体が縒れても、吸収性積層体の縒れが上側開口で緩和されて、吸収性積層体の着用者の肌へのフィット性を高めることができる。
【００１５】
下側開口は、上側開口と重ならない前側端部および／または後側端部が、上側開口と重なる部分より幅広に形成されていてもよい。このように下側開口が形成されていれば、下側開口の前側端部と後側端部に形成されたポケットに尿等が好適に収容されやすくなり、ポケットに収容された尿等はさらに上側吸収層と下側吸収層とによって速やかに吸収されやすくなる。従って、尿等が吸収性積層体によって、より速やかに吸収されやすくなる。
【００１６】
上側吸収層は、上側開口の幅方向の両側に、上側開口の斜め前方に延びる前側スリット、および／または、上側開口の斜め後方に延びる後側スリットを有していてもよい。上側
吸収層に前側スリットおよび／または後側スリットが形成されていれば、吸収性積層体を幅方向と前後方向の両方向に対して窪ませて形成することができるようになる。従って、このような吸収性積層体を備えた吸収性物品を着用すれば、排泄物を好適に受けやすくなって、横漏れも起こりにくくなる。
【００１７】
バックシートは吸収性積層体と異なる色を有することが好ましい。バックシートが吸収性積層体と異なる色を有していれば、吸収性物品をトップシート側から見たときに、上側開口と下側開口が重なる部分の位置を認識しやすくなる。従って、上側開口と下側開口が重なる部分の位置を確認しながら吸収性物品を装着することにより、吸収性積層体を着用者の股間の好適位置に設置することが容易になる。
【発明の効果】
【００１８】
本発明の吸収性物品は、上側吸収層に形成された上側開口と下側吸収層に形成された下側開口が重なって設けられ、下側開口が、上側開口の前側端より前方および／または上側開口の後側端より後方に延びるように形成されているため、上側開口と下側開口を通じて尿等の吸収性積層体での拡散性が高められるとともに、尿等が吸収性積層体で速やかに吸収されるようになる。
【図面の簡単な説明】
【００１９】
【図１】吸収性積層体をトップシート側から見た平面図を表す。
【図２】吸収性積層体の変形例を表す。
【図３】吸収性積層体の変形例を表す。
【図４】吸収性積層体の変形例を表す。
【図５】本発明の吸収性物品の一実施態様として、吸収性物品（尿パッド）をトップシート側から見た平面図を表す。
【図６】図５に示した吸収性物品のＡ−Ａ断面図を表す。
【発明を実施するための形態】
【００２０】
本発明の吸収性物品は、トップシートとバックシートとこれらの間に設けられた吸収性積層体とを有する。本発明の吸収性物品の態様としては、尿パッド（失禁パッドを含む）、使い捨ておむつ、生理用ナプキン等が示される。
【００２１】
吸収性物品の形状は特に限定されない。吸収性物品が、例えば尿パッド、生理用ナプキンである場合、吸収性物品の形状としては、略長方形、砂時計型、ひょうたん型、羽子板型等が示される。
【００２２】
吸収性物品が使い捨ておむつである場合、使い捨ておむつは、左右に一対の止着部材が備えられ、当該止着部材により着用時にパンツ型に形成するオープン型使い捨ておむつであってもよく、ウェスト開口部と一対の脚開口部とが形成されたパンツ型使い捨ておむつであってもよい。
【００２３】
トップシートは、吸収性物品の着用の際に着用者側に位置するシートであり、液透過性であればその材料は特に限定されない。バックシートは、吸収性物品の着用の際に着用者とは反対側、すなわち外側に位置するシートであり、液不透過性であればその材料は特に限定されない。なお、本発明において、液不透過性とは撥水性の意味も含まれる。
【００２４】
トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用い
ることができる。また、トップシートとして、織布、編布、孔が形成されたプラスチックフィルムを用いてもよい。
【００２５】
バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。また、不織布とプラスチックフィルムとの積層体を用いてもよい。
【００２６】
トップシートやバックシートとして不織布を用いる場合、不織布としては、スパンボンド法、エアスルー法、ポイントボンド法、メルトブロー法、エアレイド法やそれらの製法の組み合わせ等により製造されるものが好ましい。また、スパンボンド法とメルトブロー法を組み合わせたＳＭＳ法により製造された不織布を用いてもよい。
【００２７】
吸収性積層体は、トップシートとバックシートとの間に設けられ、尿等の排泄物を吸収する。吸収性積層体は、トップシート側から上側吸収層と下側吸収層とを有する。好ましくは、上側吸収層は下側吸収層に隣接して設けられる。また、吸収性積層体は、吸収体として上側吸収層と下側吸収層のみを有することが好ましい。
【００２８】
吸収性積層体は、前後方向と幅方向とを有する。前後方向とは、吸収性物品を着用者が着用した際、着用者の股間の前後方向に延びる方向を意味する。前後方向において、着用者の腹側に当てられる位置を前側と称し、着用者の背側に当てられる位置を後側と称する。幅方向とは、吸収性積層体と同一面上にあり、前後方向と直交する方向を意味する。また、本発明において、上側とは吸収性物品を着用した際の着用者側を意味し、下側とは吸収性物品を着用した際の着用者とは反対側、すなわち外側を意味する。上側から下側に延びる方向を、上下方向と称する。
【００２９】
吸収性積層体を構成する上側吸収層と下側吸収層は、尿等の排泄物を吸収できる吸収性材料を含むものであれば特に限定されない。上側吸収層や下側吸収層としては、例えば、吸収性材料を所定形状に成形した成形体を用いたり、あるいは吸収性材料を紙シート（例えば、ティッシュペーパーや薄葉紙）や液透過性不織布シート等のシート部材で覆ったものを用いることができる。吸収性材料としては、例えば、粉砕したパルプ繊維、セルロース繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等の体液との親和性を高めるために、界面活性剤等により親水化処理がされていてもよい。
【００３０】
吸収性材料は、尿等の吸収速度を高め、吸収性積層体の保形性を高める点から、親水性繊維を含むことが好ましく、パルプ繊維を含むことがより好ましい。また、吸収容量を高める点からは、吸収性材料は吸水性樹脂を含むことが好ましい。より好ましくは、吸収性積層体を構成する上側吸収層と下側吸収層はそれぞれ、吸収性材料として親水性繊維と吸水性樹脂を含有する。後述するように、上側吸収層と下側吸収層にはそれぞれ開口が形成されているため、上側吸収層と下側吸収層が親水性繊維と吸水性樹脂を含有していれば、上側吸収層と下側吸収層の開口が所定形状に好適に維持されやすくなるとともに、上側吸収層と下側吸収層の吸収性能が高められる。
【００３１】
上側吸収層と下側吸収層の目付はそれぞれ、１００ｇ／ｍ2以上が好ましく、１３０ｇ
／ｍ2以上がより好ましく、また３００ｇ／ｍ2以下が好ましく、２５０ｇ／ｍ2以下がよ
り好ましい。上側吸収層と下側吸収層の目付が１００ｇ／ｍ2以上であれば、上側吸収層
と下側吸収層が十分な剛性を有しやすくなる。従って、上側吸収層と下側吸収層にそれぞ
れ形成される開口を所定形状に維持しやすくなる。上側吸収層と下側吸収層の目付が３００ｇ／ｍ2以下であれば、吸収性物品の全体が厚くなり過ぎず、吸収性物品の装着感が向
上する。なお、上側吸収層と下側吸収層の目付は、同じであっても異なっていてもよい。
【００３２】
吸収性積層体の形状（平面形状）は特に限定されない。上側吸収層と下側吸収層の形状（平面形状）も特に限定されない。吸収性積層体の形状は、用途に応じて適宜決定すればよく、例えば、長方形、砂時計型、ひょうたん型、羽子板型等が挙げられる。
【００３３】
上側吸収層と下側吸収層にはそれぞれ前後方向に延びる開口が形成され、上側吸収層に形成された上側開口と下側吸収層に形成された下側開口が互いに重なって設けられている。そして、下側開口は、上側開口の前側端より前方、および／または、上側開口の後側端より後方に延びている。
【００３４】
ここで、上側開口と下側開口の形成についての理解を容易にするため、吸収性積層体の構成例を図１を参照しながら説明する。図１は、吸収性積層体をトップシート側から見た平面図を表す。なお、本願の図では、矢印ｘが幅方向、矢印ｙが前後方向を表し、矢印ｘ，ｙにより形成される面に対して垂直方向が上下方向ｚを表す。また、図１では、図の上側が吸収性物品の前側に相当し、図の下側が吸収性物品の後側に相当する。なお、本発明は、図面に示された実施態様に限定されるものではない。
【００３５】
吸収性積層体４は、トップシート側から上側吸収層５と下側吸収層７を有しており、上側吸収層５は前後方向ｙに延びる上側開口６を有し、下側吸収層７は、上側開口６と重なって、前後方向ｙに延びる下側開口８を有している。そして、下側開口８は、上側開口６の前側端より前方、および／または、上側開口６の後側端より後方に延びている。その結果、下側開口８において、上側開口６の前側端より前方の部分８Ｆ（以下、「前側端部」と称する場合がある）、および／または、上側開口６の後側端より後方の部分８Ｂ（以下、「後側端部」と称する場合がある）には、下側開口８が上側吸収層５に覆われることにより形成されたポケット９が設けられることとなる。なお、図１では、下側開口８が、上側開口６の前側端より前方および上側開口６の後側端より後方に延びている態様が示されている。
【００３６】
本発明の吸収性物品は、このように上側吸収層５と下側吸収層７にそれぞれ上側開口６と下側開口８が設けられることにより、上側開口６と下側開口８が重なる部分で尿等の前後方向ｙへの拡散性が高められる。そして、上側開口６と下側開口８が重なる部分で前後方向ｙに拡散した尿等は、下側開口８の前側端部８Ｆおよび／または後側端部８Ｂに形成されたポケット９に収容され、ポケット９に収容された尿等は上側吸収層５と下側吸収層７とによって吸収される。その結果、着用者から排泄された尿等は、吸収性積層体４で速やかに吸収される。従って、本発明の吸収性物品では、尿等の横漏れが起こりにくくなる。
【００３７】
例えば、従来の上側吸収層と下側吸収層を有する吸収性物品では、上側吸収層に形成された上側開口を下側吸収層に形成された下側開口と重なるように設けることは、一般になされてこなかった。これは、上側開口と下側開口を重ねて設けることで、上側開口と下側開口が重なる部分で尿等が溢れやすくなって、かえって尿等の吸収性能が低下することが懸念されたためと考えられる。しかし本発明の吸収性物品では、下側開口８の前側端部８Ｆおよび／または後側端部８Ｂにポケット９を形成することで、上側開口６と下側開口８が重なる部分に移行した尿等が前後方向ｙに拡散してポケット９に収容され、ポケット９で尿等が速やかに吸収されるようになる。
【００３８】
また、本発明の吸収性物品では、上側開口６と下側開口８が重なる部分で吸収性積層体
４を幅方向ｘに折り曲げて、着用者の股間で窪みを形成しやすくなる。そのため、本発明の吸収性物品は、着用者からの排泄物を好適に受けやすくなるとともに、横漏れも起こりにくくなる。
【００３９】
上側開口６と下側開口８は、前後方向ｙに延びる限りその形状は特に限定されないが、尿等の前後方向ｙへの拡散を促進する点から、幅方向ｘより前後方向ｙに長い形状であることが好ましい。図１では、上側開口６と下側開口８の形状はそれぞれ、前後方向ｙに長い角の丸い長方形となっている。開口の形状は、例えば、長方形、楕円形、多角形、砂時計型、ひょうたん型等であってもよい。
【００４０】
上側開口６と下側開口８は、吸収性物品を着用した際、着用者の排尿部付近に面するように、上側吸収層５と下側吸収層７に設けられることが好ましい。このように上側開口６と下側開口８が設けられれば、着用者から排泄された尿等が速やかに上側開口６と下側開口８が重なる部分に移行し、当該部分で前後方向ｙに拡散しやすくなる。
【００４１】
図１では、上側開口６と下側開口８は１つずつ設けられているが、上側開口６と下側開口８の数はこれに限定されず、２つ以上でもよい。なお、着用者から排泄された尿等を、上側開口６と下側開口８が重なる部分で尿等を受けやすくし、当該部分での尿等の前後方向ｙへの拡散性を高めるため、上側開口６と下側開口８は、吸収性積層体４の幅方向ｘの中心線Ｃ上を前後方向ｙに延びるように形成されることが好ましい。この場合、前後方向ｙに延びるように形成される上側開口６と下側開口８は、図１に示すように１つずつ設けられることが好ましい。このように上側開口６と下側開口８が設けられることにより、吸収性積層体４の吸収容量が確保され、吸収性積層体４を所定形状に保持しやすくなる。
【００４２】
下側開口８は、図１に示すように、上側開口６の前側端より前方および上側開口６の後側端より後方に延びるように形成されていることが好ましい。このように下側開口８が形成されていれば、下側開口８の前側端部８Ｆと後側端部８Ｂの両方に尿等を収容可能なポケット９が形成され、尿等が吸収性積層体４によって速やかに吸収されやすくなる。
【００４３】
下側開口８の前側端部８Ｆおよび／または後側端部８Ｂに形成されるポケット９の深さ（前後方向ｙの長さ）は、１０ｍｍ以上が好ましく、１５ｍｍ以上がより好ましく、２０ｍｍ以上がさらに好ましい。つまり、下側開口８は、上側開口６の前側端よりも前方に１０ｍｍ以上（より好ましくは１５ｍｍ以上であり、さらに好ましくは２０ｍｍ以上）延在し、上側開口６の後側端よりも後方に１０ｍｍ以上（より好ましくは１５ｍｍ以上であり、さらに好ましくは２０ｍｍ以上）延在していることが好ましい。このようにポケット９が形成されていれば、ポケット９に尿等が好適に収容されやすくなって、その結果、ポケット９に収容された尿等が上側吸収層５と下側吸収層７とによって速やかに吸収されやすくなる。なお、ポケット９の深さの上限は特に限定されないが、ポケット９の深さが深すぎても、ポケット９の奥まで尿等が到達しにくくなって下側吸収層７の吸収容量の低下を招くため、ポケット９の深さは１５０ｍｍ以下が好ましく、１３０ｍｍ以下がより好ましい。つまり、下側開口８は、上側開口６の前側端よりも前方に１５０ｍｍ以下（より好ましくは１３０ｍｍ以下）だけ延在し、上側開口６の後側端よりも後方に１５０ｍｍ以下（より好ましくは１３０ｍｍ以下）だけ延在していることが好ましい。
【００４４】
上側開口６と下側開口８が重なる部分（以下、「開口重なり部分」と称する場合がある）の前後方向ｙの長さは、吸収性積層体４の前後方向ｙの長さの１５％以上であることが好ましく、２０％以上であることがより好ましく、また５０％以下であることが好ましく、４５％以下であることがより好ましい。開口重なり部分の前後方向ｙの長さが吸収性積層体４の前後方向ｙの長さの１５％以上であれば、開口重なり部分の前後方向ｙの長さが十分確保され、開口重なり部分での尿等の拡散性が高められ、吸収性積層体４によって尿
等が効率的に吸収されるようになる。また、吸収性物品を幅方向ｘに折り曲げて、着用者の股間で窪みを形成しやすくなる。開口重なり部分の前後方向ｙの長さが吸収性積層体４の前後方向ｙの長さの５０％以下であれば、吸収性積層体４に吸収性材料が配されない部分が多くなりすぎず、吸収性積層体４の吸収性能（吸収容量や吸収速度）が確保されやすくなる。なお、図１では、下側開口８が上側開口６の前側端より前方および上側開口６の後側端より後方に延びるように形成されているため、開口重なり部分の前後方向ｙの長さは上側開口６の前後方向ｙの長さに等しくなっている。
【００４５】
下側開口８は、上側開口６と重なる部分で上側開口６より幅狭に形成されていることが好ましい。このように上側開口６と下側開口８が形成されていれば、着用者から排泄された尿等を開口重なり部分で好適に受けやすくなるとともに、開口重なり部分で受けた尿等が下側吸収層７に速やかに吸収されて、当該部分で尿等が溢れにくくなる。また、上側開口６が下側開口８より幅広に形成されることにより、開口重なり部分で吸収性積層体４を、着用者の股間で窪み（隆起ではなく）を形成するように幅方向ｘに折り曲げやすくなる。このような効果が確実に奏されるようにするために、開口重なり部分では、上側開口６の幅が下側開口８の幅の１．２倍以上であることが好ましく、１．５倍以上であることがより好ましく、また５．０倍以下であることが好ましく、４．０倍以下であることがより好ましい。なお、上側開口６および下側開口８の幅とは、幅方向ｘに対する長さを意味する。
【００４６】
下側開口８の幅は、開口重なり部分において、５ｍｍ以上が好ましく、７ｍｍ以上がより好ましく、また２５ｍｍ以下が好ましく、２０ｍｍ以下がより好ましい。開口重なり部分で下側開口８の幅が５ｍｍ以上あれば、開口重なり部分で尿等の前後方向ｙへの拡散性が高められるとともに、吸収性積層体４を開口重なり部分で幅方向ｘに折り曲げやすくなる。開口重なり部分で下側開口８の幅が２５ｍｍ以下であれば、尿等が開口重なり部分で前後方向ｙに拡散する間に下側吸収層７により吸収されやすくなる。そのため、一度に大量の尿等が排泄されても、尿等が開口重なり部分で溢れにくくなる。
【００４７】
開口重なり部分で尿等が溢れることなく前後方向ｙに好適に拡散されるようにするために、上側吸収層５と下側吸収層７はそれぞれ親水性繊維と吸水性樹脂を含有する成形体から構成され、上側吸収層５の成形体が下側吸収層７の成形体と直接接触していることが好ましい。すなわち、上側吸収層５と下側吸収層７の間にはティッシュ等の他の部材が設けられないことが好ましく、上側吸収層５の上側開口６と下側吸収層７の下側開口８とが貫通していることが好ましい。
【００４８】
さらに、上側吸収層５の成形体と下側吸収層７の成形体は、接着剤等の接合手段により接合されていないことが好ましい。これにより上側吸収層５と下側吸収層７との間を尿等が移行しやすくなって、尿等が上側吸収層５と下側吸収層７の両方によって好適に吸収されやすくなる。
【００４９】
上側吸収層５と下側吸収層７はまた、それぞれ親水性繊維と吸水性樹脂を含有する成形体から構成され、上側吸収層５の成形体が下側吸収層７の成形体よりも吸水性樹脂含有率が高いことが好ましい。一般に親水性樹脂と吸水性樹脂を含有する吸収体は、吸水性樹脂含有率が高いほど吸収容量が高くなるが、吸水性樹脂が吸水して膨潤することにより、いわゆるゲルブロッキングが起こって、尿等の吸収体の透過性が低下する場合がある。しかし本発明の吸収性物品で用いられる吸収性積層体４では、上側開口６と下側開口８が重なる部分が存在するため、上側吸収層５の吸水性樹脂含有率を高くしても上側開口６と下側開口８が重なる部分を通して下側吸収層７に尿等が移行でき、尿等が上側吸収層５と下側吸収層７の両方によって好適に吸収されやすくなる。従って、上側吸収層５の成形体の吸水性樹脂含有率を高くすることにより、下側吸収層７の吸収性能を確保しつつ、上側吸収
層５によっていわゆるウェットバック（吸収した尿等の逆戻り現象）を防止しやすくなる。従って、吸収性積層体４によって吸収された尿等が着用者の肌に逆戻りしにくくなり、吸収性物品の着用感が向上する。
【００５０】
上側吸収層５は、図１に示すように、下側吸収層７よりも、前後方向ｙおよび幅方向ｘに長く形成されていることが好ましい。本発明の吸収性物品では、下側吸収層７は、上側開口６と下側開口８が重なる部分から尿等を吸収できるが、当該部分の周囲を中心に下側吸収層７の吸収性材料を配置することで、すなわち、下側吸収層７の前後方向ｙと幅方向ｘの長さを上側吸収層５よりも短くすることで、下側吸収層７が尿等の吸収に効率的に寄与することとなる。また、上側吸収層５が下側吸収層７よりも前後方向ｙおよび幅方向ｘに長く形成されることで、着用者が上側吸収層５と下側吸収層７との段差ができることによる違和感を覚えにくくなり、着用感が向上する。
【００５１】
次に、吸収性積層体４の変形例について、図２〜図４を参照して説明する。図２〜図４には、吸収性積層体４の変形例をそれぞれ示した。なお、下記において、図１に示した吸収性積層体４の説明と重なる部分は、説明を省略する。
【００５２】
図２に示した実施態様では、上側開口６は、前後方向ｙの両端部が幅広に形成されている。すなわち、上側開口６は、前後方向ｙに、前側部６Ｆ、後側部６Ｂ、およびこれらの間の中間部６Ｍを有し、前側部６Ｆおよび後側部６Ｂが中間部６Ｍより幅広に形成されている。このように上側開口６が形成されていれば、吸収性物品を着用している際に吸収性積層体４が縒れても、吸収性積層体４の縒れが上側開口６で緩和されて、吸収性積層体４の着用者の肌へのフィット性を高めることができる。例えば、図２に示した吸収性積層体４は、着用者が歩いている状態でも、吸収性積層体４が着用者の肌に常にフィットしやすくなる。なお、前側部６Ｆ、後側部６Ｂ、中間部６Ｍの前後方向ｙの長さの比率は特に限定されないが、例えば図２に示されるように、上側開口６が前後方向ｙに３等分されて、前側部６Ｆ、後側部６Ｂ、中間部６Ｍがそれぞれ規定されればよい。
【００５３】
図３に示した実施態様では、下側開口８が、前後方向ｙの両端部が幅広に形成されている。すなわち、下側開口８は、上側開口６と重ならない前側端部８Ｆおよび後側端部８Ｂが、上側開口６と重なる部分より幅広に形成されている。このように下側開口８が形成されていれば、下側開口８の前側端部８Ｆと後側端部８Ｂに形成されたポケット９に尿等が好適に収容されやすくなり、ポケット９に収容された尿等はさらに上側吸収層５と下側吸収層７とによって速やかに吸収されやすくなる。従って、尿等が吸収性積層体４によって、さらに速やかに吸収されやすくなる。なお、図には示されていないが、下側開口８は、前側端部８Ｆと後側端部８Ｂのいずれか一方のみが上側開口６と重なる部分より幅広に形成されていてもよい。
【００５４】
図４に示した実施態様では、上側吸収層５が、上側開口６の幅方向ｘの両側に、上側開口６の斜め前方に延びる前側スリット１０と、上側開口６の斜め後方に延びる後側スリット１１を有している。このように上側吸収層５に前側スリット１０と後側スリット１１が形成されていれば、吸収性積層体４を幅方向ｘと前後方向ｙの両方向に対して窪ませて形成することができるようになる。従って、このような吸収性積層体４を備えた吸収性物品を着用すれば、排泄物が好適に受けられ、横漏れも起こりにくくなる。なお、図には示されていないが、上側吸収層５には、前側スリット１０と後側スリット１１のいずれか一方のみが形成されていてもよい。また、前側スリット１０および／または後側スリット１１が、上側開口６と繋がっていてもよい。
【００５５】
また、吸収性積層体４は、図２〜図４の実施態様が組み合わされたものであってもよい。
【００５６】
次に、本発明の吸収性物品の構成例について、図５および図６を参照して説明する。なお、本発明は、図面に示された実施態様に限定されるものではない。図５および図６では、図１に示した吸収性積層体４を備えた吸収性物品を示した。図５は、吸収性物品として尿パッドをトップシート側から見た平面図を表す。図６は、図５の吸収性物品のＡ−Ａ断面図を表す。図５では、図の上側が吸収性物品の前側に相当し、図の下側が吸収性物品の後側に相当する。
【００５７】
吸収性物品１は、液透過性のトップシート２と液不透過性のバックシート３とこれらの間に設けられた吸収性積層体４とを有する。トップシート２は、着用者の肌に面するように配置され、尿等の排泄物を透過する。トップシート２を透過した排泄物は、吸収性積層体４により収容される。バックシート３は、排泄物が外部へ漏れるのを防いでいる。
【００５８】
吸収性積層体４は、前後方向ｙと幅方向ｘとを有し、トップシート２側から上側吸収層５と下側吸収層７とを有する。上側吸収層５は前後方向ｙに延びる上側開口６を有し、下側吸収層７は、上側開口６と重なって、前後方向ｙに延びる下側開口８を有している。そして、下側開口８は、上側開口６の前側端より前方、および／または、上側開口６の後側端より後方に延びている。吸収性積層体４が収容した尿等は、上側開口６と下側開口８が重なる部分で前後方向ｙに拡散し、下側開口８の前側端部８Ｆおよび／または後側端部８Ｂに形成されたポケット９に収容される。従って本発明の吸収性物品１では、吸収性積層体４に収容された尿等の前後方向ｙへの拡散性が高められるとともに、尿等が吸収性積層体４で速やかに吸収されるようになる。
【００５９】
バックシート３は吸収性積層体４と異なる色を有することが好ましい。バックシート３が吸収性積層体４と異なる色を有していれば、吸収性物品１をトップシート２側から見たときに、上側開口６と下側開口８が重なる部分を通してバックシート２の色を視認でき、上側開口６と下側開口８が重なる部分の位置を認識しやすくなる。従って、上側開口６と下側開口８が重なる部分の位置を確認しながら吸収性物品１を装着することにより、吸収性積層体４を着用者の股間の好適位置に設置することが容易になる。バックシート２の色としては、吸収性積層体４が一般に白色であることから、例えば、青色等が挙げられる。
【００６０】
図６に示すように、トップシート２と吸収性積層体４との間には上側台紙１５が設けられ、バックシート３と吸収性積層体４との間には下側台紙１６が設けられることが好ましい。なお、図５では、上側台紙１５と下側台紙１６が省略されている。上側台紙１５と下側台紙１６が設けられることにより、吸収性積層体４が型くずれしにくくなる。また、吸収性積層体４の上側吸収層５や下側吸収層７に吸水性樹脂が含まれる場合は、上側台紙１５と下側台紙１６によってトップシート２やバックシート３の表面に吸水性樹脂が移行するのが防止され、トップシート２やバックシート３の肌触りが良好に維持されやすくなる。上側台紙１５と下側台紙１６としては、ティッシュペーパーや薄葉紙、クレープ紙等を用いることができる。
【００６１】
上側台紙１５は接着剤等の接合手段により上側吸収層５と接合されていることが好ましい。また、下側台紙１６は接着剤等の接合手段により下側吸収層７と接合されていることが好ましい。上側台紙１５が上側吸収層５と接合されていれば、上側吸収層５の保形性が高められ、上側吸収層５に形成された上側開口６の形状が好適に維持されやすくなる。同様に、下側台紙１６が下側吸収層７と接合されていれば、下側吸収層７の保形性が高められ、下側吸収層７に形成された下側開口８の形状が好適に維持されやすくなる。なお上述したように、上側吸収層５と下側吸収層７は互いに接合していないことが好ましい。
【００６２】
吸収性物品１には、吸収性積層体４の幅方向ｘの両側に、吸収性積層体４の前後方向ｙ
に延在する立ち上がりフラップ１２が設けられてもよい。図５および図６では、トップシート２の幅方向ｘの両側に、前後方向ｙに延在するサイドシート１３が接合し、サイドシート１３の幅方向ｘの内方端に設けられた起立用弾性部材１４の収縮力によりサイドシート１３の内方端が着用者の肌に向かって立ち上がり、これにより立ち上がりフラップ１２が形成されている。立ち上がりフラップ１２により、尿等の幅方向ｘの横漏れが防止される。サイドシート１３は、液不透過性のプラスチックフィルムや液不透過性の不織布等により構成される。なお、立ち上がりフラップ１２は前後方向ｙの端部の内面がトップシート２上に接合されてもよく、これにより立ち上がりフラップ１２の立ち上がりが容易になる。
【符号の説明】
【００６３】
１：  吸収性物品（尿パッド）
２：  トップシート
３：  バックシート
４：  吸収性積層体
５：  上側吸収層
６：  上側開口
７：  下側吸収層
８：  下側開口
【図１】
2018143836.tif 000003
【図２】
2018143836.tif 000004
【図３】
2018143836.tif 000005
【図４】
2018143836.tif 000006
【図５】
2018143836.tif 000007
【図６】
2018143836.tif 000008